【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
１または複数の画像形成装置がネットワークを介してサーバと接続された画像形成システムにおいて、
前記画像形成装置は、原稿を読み取る読取手段と、
前記読取手段が読み取った画像情報にバーコードパターンが含まれているかを判断する判断手段と、
前記判断手段の判断結果から、前記読取手段が読み取った画像情報からバーコード領域データを抽出する抽出手段と、
前記バーコード領域データと送信元情報とを関連付けて、ネットワークを介して前記サーバへ登録する登録手段と、
前記画像情報および送信元情報を送信する送信手段と、
受信した画像情報と送信元情報から、前記サーバに登録されているバーコード領域情報を取得する取得手段と、
前記取得したバーコード領域情報からバーコードパターンへ変換する変換手段とを有することを特徴とする画像形成システム。
【請求項２】
前記抽出手段は、バーコード領域データを抽出する際に、前記バーコードパターンを含む周辺領域を抽出することを特徴とする請求項１記載の画像形成システム。
【請求項３】
前記変換手段は、前記抽出手段が抽出したバーコードパターンと同じまたは異なるバーコードパターンへ変換することを特徴とする請求項１または２記載の画像形成システム。
【請求項４】
前記画像形成装置は、ファクシミリ通信機能を有することを特徴とする請求項１から３のいずれか１項に記載の画像形成システム。
【請求項５】
原稿を読み取る読取手段と、
前記読取手段が読み取った画像情報にバーコードパターンが含まれているかを判断する判断手段と、
前記判断手段の判断結果から、前記読取手段が読み取った画像情報からバーコード領域データを抽出する抽出手段と、
前記バーコード領域データと送信元の送信元情報とを関連付けて登録する登録手段と、
前記画像情報および送信元情報を送信する送信手段と、
受信した画像情報と送信元情報とから、バーコード領域情報を取得する取得手段と、
前記取得したバーコード領域情報からバーコードパターンへ変換する変換手段とを有することを特徴とする画像形成装置。
【請求項６】
前記抽出手段は、バーコード領域データを抽出する際に、前記バーコードパターンを含む周辺領域を抽出することを特徴とする請求項５記載の画像形成装置。
【請求項７】
前記変換手段は、前記抽出手段が抽出したバーコードパターンと同じまたは異なるバーコードパターンへ変換することを特徴とする請求項５または６記載の画像形成装置。
【請求項８】
前記取得手段は、受信した送信元情報から前記登録手段に登録されているバーコード領域データを取得することを特徴とする請求項５から７のいずれか１項に記載の画像形成装置。
【請求項９】
ファクシミリ通信機能を有することを特徴とする請求項５から８のいずれか１項に記載の画像形成装置。
【請求項１０】
１または複数の画像形成装置がネットワークを介してサーバと接続された画像形成システムの画像形成方法において、
前記画像形成装置は、原稿を読み取る読取ステップと、
前記読取ステップにより読み取った画像情報にバーコードパターンが含まれているかを判断する判断ステップと、
前記判断ステップによる判断結果から、前記読取ステップにより読み取った画像情報からバーコード領域データを抽出する抽出ステップと、
前記バーコード領域データと送信元情報とを関連付けて、ネットワークを介して前記サーバへ登録する登録ステップと、
前記画像情報および送信元情報を送信する送信ステップと、
受信した画像情報と送信元情報から、前記サーバに登録されているバーコード領域情報を取得する取得ステップと、
前記取得したバーコード領域情報からバーコードパターンへ変換する変換ステップとを有することを特徴とする画像形成システムの画像形成方法。
【請求項１１】
前記抽出ステップは、バーコード領域データを抽出する際に、前記バーコードパターンを含む周辺領域を抽出することを特徴とする請求項１０記載の画像形成システムの画像形成方法。
【請求項１２】
前記変換ステップは、前記抽出ステップにより抽出したバーコードパターンと同じまたは異なるバーコードパターンへ変換することを特徴とする請求項１０または１１記載の画像形成システムの画像形成方法。
【請求項１３】
前記画像情報および送信元情報を受信する受信ステップを有し、
前記画像情報は、ＦＡＸデータであり、
前記受信ステップは、前記ＦＡＸデータおよび送信元情報を受信し、
前記送信ステップは、前記ＦＡＸデータを送信することを特徴とする請求項１０から１２のいずれか１項に記載の画像形成システムの画像形成方法。
【請求項１４】
原稿を読み取る読取ステップと、
前記読取ステップにより読み取った画像情報にバーコードパターンが含まれているかを判断する判断ステップと、
前記判断ステップによる判断結果から、前記読取ステップにより読み取った画像情報からバーコード領域データを抽出する抽出ステップと、
前記バーコード領域データと送信元の送信元情報とを関連付けて登録する登録ステップと、
前記画像情報および送信元情報を送信する送信ステップと、
受信した画像情報と送信元情報とから、バーコード領域情報を取得する取得ステップと、
前記取得したバーコード領域情報からバーコードパターンへ変換する変換ステップとを有することを特徴とする画像形成方法。
【請求項１５】
前記抽出ステップは、バーコード領域データを抽出する際に、前記バーコードパターンを含む周辺領域を抽出することを特徴とする請求項１４記載の画像形成方法。
【請求項１６】
前記変換ステップは、前記抽出ステップにより抽出したバーコードパターンと同じまたは異なるバーコードパターンへ変換することを特徴とする請求項１４または１５記載の画像形成方法。
【請求項１７】
前記取得ステップは、受信した送信元情報から前記登録ステップにより登録されているバーコード領域データを取得することを特徴とする請求項１４から１６のいずれか１項に記載の画像形成方法。
【請求項１８】
前記画像情報および送信元情報を受信する受信ステップを有し、
前記画像情報は、ＦＡＸデータであり、
前記受信ステップは、前記ＦＡＸデータおよび送信元情報を受信し、
前記送信ステップは、前記ＦＡＸデータを送信することを特徴とする請求項１４から１７のいずれか１項に記載の画像形成方法。
【請求項１９】
原稿を読み取る処理と、
前記読み取る処理により読み取った画像情報にバーコードパターンが含まれているかを判断する処理と、
前記判断する処理による判断結果から、前記読み取る処理により読み取った画像情報からバーコード領域データを抽出する処理と、
前記バーコード領域データと送信元の送信元情報とを関連付けて登録する処理と、
前記画像情報および送信元情報を送信する処理と、
受信した画像情報と送信元情報とから、バーコード領域情報を取得する処理と、
前記取得したバーコード領域情報からバーコードパターンへ変換する処理とをコンピュータに実行させることを特徴とするプログラム。
【請求項２０】
請求項１９記載のプログラムを記録したコンピュータ読み取り可能な記録媒体。
【手続補正２】
【補正対象書類名】明細書
【補正対象項目名】発明の名称
【補正方法】変更
【補正の内容】
【発明の名称】画像形成システム、画像形成装置、画像形成システムの画像形成方法、画像形成方法、プログラム及び記録媒体
【手続補正３】
【補正対象書類名】明細書
【補正対象項目名】０００１
【補正方法】変更
【補正の内容】
【０００１】
本発明は、画像を読み取った画像情報に基づいて画像を形成する画像形成システム、画像形成装置、画像形成システムの画像形成方法、画像形成方法、プログラム及び記録媒体
に関する。
【手続補正４】
【補正対象書類名】明細書
【補正対象項目名】０００６
【補正方法】変更
【補正の内容】
【０００６】
本発明は、係る問題を鑑みてなされたものであり、読み取ったバーコードパターンを受信側で劣化させずに、バーコードパターンを復元することが可能な画像形成システム、画像形成装置、画像形成システムの画像形成方法、画像形成方法、プログラム及び記録媒体を提供することを目的とする。
【手続補正５】
【補正対象書類名】明細書
【補正対象項目名】０００７
【補正方法】変更
【補正の内容】
【０００７】
上記目的を達成するために、本発明の画像形成システムは、１または複数の画像形成装置がネットワークを介してサーバと接続された画像形成システムにおいて、画像形成装置は、原稿を読み取る読取手段と、読取手段が読み取った画像情報にバーコードパターンが含まれているかを判断する判断手段と、判断手段の判断結果から、読取手段が読み取った画像情報からバーコード領域データを抽出する抽出手段と、バーコード領域データと送信元情報とを関連付けて、ネットワークを介してサーバへ登録する登録手段と、画像情報および送信元情報を送信する送信手段と、受信した画像情報と送信元情報から、サーバに登録されているバーコード領域情報を取得する取得手段と、取得したバーコード領域情報からバーコードパターンへ変換する変換手段とを有することを特徴とする。
【手続補正６】
【補正対象書類名】明細書
【補正対象項目名】０００８
【補正方法】変更
【補正の内容】
【０００８】
また、本発明の画像形成システムは、抽出手段は、バーコード領域データを抽出する際に、バーコードパターンを含む周辺領域を抽出することを特徴とすることができる。また、本発明の画像形成システムは、変換手段は、抽出手段が抽出したバーコードパターンと同じまたは異なるバーコードパターンへ変換することを特徴とすることができる。本発明の画像形成システムは、画像形成装置は、ファクシミリ通信機能を有することを特徴とすることができる。
【手続補正７】
【補正対象書類名】明細書
【補正対象項目名】０００９
【補正方法】変更
【補正の内容】
【０００９】
また、本発明の画像形成装置は、原稿を読み取る読取手段と、読取手段が読み取った画像情報にバーコードパターンが含まれているかを判断する判断手段と、判断手段の判断結果から、読取手段が読み取った画像情報からバーコード領域データを抽出する抽出手段と、バーコード領域データと送信元の送信元情報とを関連付けて登録する登録手段と、画像情報および送信元情報を送信する送信手段と、受信した画像情報と送信元情報とから、バーコード領域情報を取得する取得手段と、取得したバーコード領域情報からバーコードパターンへ変換する変換手段とを有することを特徴とする。
【手続補正８】
【補正対象書類名】明細書
【補正対象項目名】００１０
【補正方法】変更
【補正の内容】
【００１０】
また、本発明の画像形成装置は、抽出手段は、バーコード領域データを抽出する際に、バーコードパターンを含む周辺領域を抽出することを特徴とすることができる。また、本発明の画像形成装置は、変換手段は、抽出手段が抽出したバーコードパターンと同じまたは異なるバーコードパターンへ変換することを特徴とすることができる。さらに、本発明の画像形成装置は、取得手段は、受信した送信元情報から登録手段に登録されているバーコード領域データを取得することを特徴とすることができる。また、本発明の画像形成装置は、ファクシミリ通信機能を有することを特徴とすることができる。
【手続補正９】
【補正対象書類名】明細書
【補正対象項目名】００１１
【補正方法】変更
【補正の内容】
【００１１】
本発明の画像形成システムの画像形成方法は、１または複数の画像形成装置がネットワークを介してサーバと接続された画像形成システムの画像形成方法において、画像形成装置は、原稿を読み取る読取ステップと、読取ステップにより読み取った画像情報にバーコードパターンが含まれているかを判断する判断ステップと、判断ステップによる判断結果から、読取ステップにより読み取った画像情報からバーコード領域データを抽出する抽出ステップと、バーコード領域データと送信元情報とを関連付けて、ネットワークを介してサーバへ登録する登録ステップと、画像情報および送信元情報を送信する送信ステップと、受信した画像情報と送信元情報から、サーバに登録されているバーコード領域情報を取得する取得ステップと、取得したバーコード領域情報からバーコードパターンへ変換する変換ステップとを有することを特徴とする。
【手続補正１０】
【補正対象書類名】明細書
【補正対象項目名】００１２
【補正方法】変更
【補正の内容】
【００１２】
本発明の画像形成方法は、原稿を読み取る読取ステップと、読取ステップにより読み取った画像情報にバーコードパターンが含まれているかを判断する判断ステップと、判断ステップによる判断結果から、読取ステップにより読み取った画像情報からバーコード領域データを抽出する抽出ステップと、バーコード領域データと送信元の送信元情報とを関連付けて登録する登録ステップと、画像情報および送信元情報を送信する送信ステップと、受信した画像情報と送信元情報とから、バーコード領域情報を取得する取得ステップと、取得したバーコード領域情報からバーコードパターンへ変換する変換ステップとを有することを特徴とする。
【手続補正１１】
【補正対象書類名】明細書
【補正対象項目名】００１３
【補正方法】変更
【補正の内容】
【００１３】
本発明のプログラムは、原稿を読み取る処理と、読み取る処理により読み取った画像情報にバーコードパターンが含まれているかを判断する処理と、判断する処理による判断結果から、読み取る処理により読み取った画像情報からバーコード領域データを抽出する処理と、バーコード領域データと送信元の送信元情報とを関連付けて登録する処理と、画像情報および送信元情報を送信する処理と、受信した画像情報と送信元情報とから、バーコード領域情報を取得する処理と、取得したバーコード領域情報からバーコードパターンへ変換する処理とをコンピュータに実行させることを特徴とする。本発明の記録媒体は、上記プログラムを記録したコンピュータ読み取り可能な記録媒体である。